(57)【要約】      （修正有）【課題】腕時計の構造、腕時計用電子コア及び腕時計を製造する方法を提供すること。【解決手段】ダイアル１２と、ダイアル１２に応じて配置されたインジケータ１３と、インジケータ１３を駆動させ且つ作動させるためにインジケータ１３に連結される電気駆動部１４と、集積回路素子が内部に封止され、外部表面上には多数の２次元接続点が分布される電子コア１５とを備え、電気駆動部１４は、電子コア１５の２次元接続点のうちの一組の接続点を介して電子コアの集積回路素子に電気的に接続し、様々なデザイン間の互換性を可能にする。【選択図】図１
2014219391.tif 000002
【特許請求の範囲】
【請求項１】
腕時計において、
ダイアルと、
前記ダイアルに応じて配置されたインジケータと、
前記インジケータが適正な動作をするようにこれを駆動するために前記インジケータに連結される電気駆動部と、
集積回路素子が内部に封止され、外部表面上には多数の２次元接続点が分布される電子コアとを備え、
前記電気駆動部は、前記電子コアの前記２次元接続点のうちの一組の接続点を介して前記電子コアの前記集積回路素子に電気的に接続されることを特徴とする腕時計の構造。
【請求項２】
前記多数の２次元接続点は、所定の位置にあることを特徴とする請求項１に記載の腕時計の構造。
【請求項３】
前記２次元接続点は設定可能な接続点であり、前記電子コアの内部回路と各接続点との間の連結経路が調整可能であることを特徴とする請求項１に記載の腕時計の構造。
【請求項４】
前記電子コアの内部回路と各接続点との間の連結経路は、前記電気駆動部が特定の回路に電気的に接続されるように外部からの指令によって調整され、この特定の回路から出力される制御信号に基づいて、前記電気駆動部はインジケータが時刻情報を示す動作と他の特定の動作をするようにインジケータを駆動することを特徴とする請求項３に記載の腕時計の構造。
【請求項５】
前記指令は、無線通信を介して前記腕時計の構造に伝送されることを特徴とする請求項４に記載の腕時計の構造。
【請求項６】
前記２次元接続点は、等間隔を有することを特徴とする請求項１に記載の腕時計の構造。
【請求項７】
前記２次元接続点は、垂直方向及び水平方向に整列されることを特徴とする請求項１に記載の腕時計の構造。
【請求項８】
前記２次元接続点は、同心円状の配列を有するように分布されることを特徴とする請求項１に記載の腕時計の構造。
【請求項９】
前記２次元接続点は、六角型の格子状に配列されることを特徴とする請求項１に記載の腕時計の構造。
【請求項１０】
前記腕時計の構造は、前記電気駆動部と前記電子コアの外部表面上の２次元接続点との間に配置されるインタポーザを備えることを特徴とする請求項１に記載の腕時計の構造。
【請求項１１】
前記電子コアは多層配線基板を有し、この多層配線基板には、ロジック部と、メモリ部及び電力管理部が封止されることを特徴とする請求項１に記載の腕時計の構造。
【請求項１２】
前記電子コアは２次元接続点のうちの周辺部接続点を介して腕時計の構造内の周辺電子構成要素に連結されることを特徴とする請求項１に記載の腕時計の構造。
【請求項１３】
前記電子コアは薄板状であり、この電子コアの形状は、前記腕時計の構造の形状に対応することを特徴とする請求項１に記載の腕時計の構造。
【請求項１４】
前記２次元接続点は対をなして分布されることを特徴とする請求項１に記載の腕時計の構造。
【請求項１５】
前記腕時計の構造の側面の周縁に、インジケータを調整するためのクラウンがさらに設けられ、このとき、前記２次元接続点は、前記クラウンの位置に対応して配置された接続点のうちの少なくとも一つの接続点組を有することを特徴とする請求項１に記載の腕時計の構造。
【請求項１６】
インジケータと、このインジケータが適正な動作をするようにこれを駆動するためにインジケータに連結される電気駆動部とを有する腕時計用電子コアにおいて、
この電子コアは、
多数の２次元接続点を有する多層配線基板と、
この多層配線基板に配置される集積回路素子と、を備え、
前記電気駆動部は、前記２次元接続点のうちの一組の接続点を介して前記集積回路素子に電気的に接続されることを特徴とする腕時計用電子コア。
【請求項１７】
前記多数の２次元接続点は、所定の位置にあることを特徴とする請求項１６に記載の腕時計用電子コア。
【請求項１８】
前記２次元接続点は設定可能な接続点であり、前記電子コアの内部回路と各接続点との間の連結経路が調整可能であることを特徴とする請求項１６に記載の腕時計用電子コア。
【請求項１９】
前記２次元接続点は、等間隔を有することを特徴とする請求項１６に記載の腕時計用電子コア。
【請求項２０】
前記２次元接続点は、垂直方向及び水平方向に整列されることを特徴とする請求項１６に記載の腕時計用電子コア。
【請求項２１】
前記２次元接続点は、同心円状の配列を有するように分布されることを特徴とする請求項１６に記載の腕時計用電子コア。
【請求項２２】
前記２次元接続点は、六角型の格子状に配列されることを特徴とする請求項１６に記載の腕時計用電子コア。
【請求項２３】
前記集積回路素子は、ロジック部と、メモリ部及び電力管理部を備えることを特徴とする請求項１６に記載の腕時計用電子コア。
【請求項２４】
腕時計の製造方法において、
ダイアルを設計し、このダイアルのデザインと調和されるデザインのインジケータを設計するステップと、
外部表面上に分布された２次元接続点を有する電子コアを設けるステップと、
前記インジケータの位置に応じて、前記電子コアの外部表面に、前記インジケータが適正な動作をするようにこれを駆動する少なくとも一つの電気駆動部の位置を設計するステップと、
前記電気駆動部のピンを前記電子コアの外部表面上の接続点のうちの少なくとも一つの接続点に連結するステップと、
前記電気駆動部を前記電子コア内部の特定の回路に電気的に接続するように、前記電子コアの内部回路と前記２次元接続点との間の連結経路を指定するステップと、
前記ダイアルと、前記インジケータと、前記電気駆動部及び前記電子コアを時計ケース内に内蔵するステップとを含むことを特徴とする腕時計の製造方法。
【請求項２５】
前記電子コアの内部回路と前記２次元接続点との間の連結経路を調整するための指令を外部から受信する通信部をさらに備えることを特徴とする請求項２４に記載の腕時計の製造方法。
【請求項２６】
前記通信部は、無線通信部を備えることを特徴とする請求項２４に記載の腕時計の製造方法。
【請求項２７】
前記電気駆動部と前記電子コアの外部表面上の２次元接続点との間にインタポーザを配置するステップをさらに含むことを特徴とする請求項２４に記載の腕時計の製造方法。
【発明の詳細な説明】
【技術分野】
【０００１】
本発明は、電気機械式時計に関し、さらに詳しくは、電力によって駆動される腕時計の構造、腕時計用電子コア、電子式クラウン、ディスプレイを有する腕時計及び腕時計の製造方法に関する。
【背景技術】
【０００２】
機械式時計は、現代人の好みの象徴となった。非常に複雑な機械式設計が現代技術において優れた技術として出現している。電気機械式時計と機械式時計との違いは、電気機械式時計が、時刻情報を示すための時計の針を作動するために電力によって駆動されるモータを使用するところにある。電気機械式時計が機械式時計に比べて丈夫ではないことがあり、バッテリを頻繁に取り替えることを余儀なくされる場合もあるが、電気機械式時計には基本的に機械式時計のように時計の針がある。しかしながら、電気機械式時計は遥かに安価であり、この理由から、多数の需要者があり、市場の主流となっている。従来の電気機械式時計においては、様々な時計のデザインに見合う電子コアを開発する必要があった。現在は、製造及び組立てに際して効果的なソリューションが足りない。
【発明の開示】
【発明が解決しようとする課題】
【０００３】
本発明の目的は、異なる腕時計のデザインに合わせて電子コアを開発しなければならないという従来の問題を解決するための、腕時計の構造、腕時計用電子コア及び電子式クラウン、ディスプレイを有する腕時計、並びに腕時計を製造する方法を提供することである。
【０００４】
本発明の他の目的は、製品の開発周期を短縮するための、腕時計の構造、腕時計用電子コア及び電子式クラウン、ディスプレイを有する腕時計、並びに腕時計を製造する方法を提供することである。
【０００５】
本発明のさらに他の目的は、腕時計の組立てまたは製造時の自由度を増大させ、様々な腕時計のデザインに対する互換性を向上させるための、腕時計の構造、腕時計用電子コア及び電子式クラウン、ディスプレイを有する腕時計、並びに腕時計を製造する方法を提供することにある。
【課題を解決するための手段】
【０００６】
上記の諸目的を達成するために、本発明は、ダイアルと、ダイアルに応じて配置されたインジケータと、インジケータが適正な動作をするようにこれを駆動するためにインジケータに連結される電気駆動部と、集積回路素子が内部に封止され、外部表面上には多数の２次元接続点が分布される電子コアとを備える腕時計の構造を提供する。ここで、前記電気駆動部は、電子コアの２次元接続点のうちの一組の接続点を介して電子コアの集積回路素子に電気的に接続される。
【０００７】
他の側面において、本発明は、インジケータと、このインジケータが適正な動作をするようにこれを駆動するためにインジケータに連結される電気駆動部と、を有する腕時計用電子コアを提供する。この腕時計用電子コアは、多数の２次元接続点を有する多層配線基板と、この多層配線基板に配置される集積回路素子とを備える。そして、前記電気駆動部は、前記２次元接続点のうちの一組の接続点を介して前記集積回路素子に電気的に接続される。
【０００８】
さらに他の側面において、本発明は、腕時計の製造方法を提供するが、この方法は、ダイアルを設計し、このダイアルのデザインと調和されるデザインのインジケータを設計するステップと、外部表面上に分布された２次元接続点を有する電子コアを設けるステップと、前記インジケータの位置に応じて電子コアの外部表面に、インジケータが適正な動作をするようにこれを駆動する少なくとも一つの電気駆動部の位置を設計するステップと、前記電気駆動部のピンを前記電子コアの外部表面上の接続点のうちの少なくとも一つの接続点に連結するステップと、前記電気駆動部を前記電子コアの内部の特定の回路に電気的に接続するように、前記電子コアの内部回路と前記２次元接続点間の連結経路を指定するステップと、前記ダイアル、インジケータ、電気駆動部及び電子コアを時計ケース内に組み込むステップとを含む。
【０００９】
さらに他の側面において、本発明は、ダイアル、ダイアルに応じて配置されたインジケータ、インジケータが適正な動作をするようにこれを駆動するためにインジケータに連結される電気駆動部と、電子コア及び電子式クラウンを備える腕時計の構造を提供する。ここで、前記電子コアの内部には集積回路素子が封止され、多数の２次元接続点を有する。そして、電子式クラウンは、回転部とセンサを有して、前記センサは、回転部分と固定された検出部分を有する。検出部分は、インジケータの状態を変更するために回転部分の回転による電子信号を検出する。前記電子式クラウンの前記検出部分は、２次元接続点のうちの一つの接続点を介して電子コアに電子信号を送出し、前記電気駆動部は、前記２次元接続点のうちの一組の接続点に電気的に接続される。
【００１０】
さらに他の側面において、本発明は、腕時計用電子式クラウンを提供するが、このクラウンは、ユーザが把持する回転部と、この回転部と連結されるセンサとを備える。前記センサは、回転部分と固定された検出部分を有する。この回転部分は、物理的特性を有する少なくとも二つの下位部を有する。これらの少なくとも二つの下位部は、前記物理的特性に対する異なる物理量を有する。前記電子式クラウンの検出部分は、前記少なくとも二つの下位部の異なる物理量を検出して異なるレベルの電子信号を送出する。
【００１１】
さらに他の側面において、本発明は、ディスプレイを有する腕時計を提供する。この腕時計は、時間関連情報を画面上に表示し、動作メニュー内に並べられた多数の項目を画面上に表示するためのディスプレイと、回転部とセンサを有する電子式クラウンとを備える。前記電子式クラウンのセンサは、回転部分と固定された検出部分を有するが、前記検出部分は、前記回転部分が回転されるときに動作メニュー内に並べられた項目を切り換えるために電子信号を送出する。
【００１２】
本発明において、電気駆動部のピンが電子コア上の２次元接続点のうちの任意の一組の接続点に一致する限り、電気駆動部とこれに対応する集積回路素子の回路間の電気的な接続が行われる。このため、本発明において提供される電子コアを用いて、時計製造者は腕時計の様々な類型を開発することができる。また、本発明は、外観が機械式時計とほとんど同じ機械式模倣型時計の開発に役立つ。さらに、本発明において、腕時計の組立の自由度が増大され、且つ、様々なデザイン間の互換性が向上される。他の側面において、腕時計の製造者は、汎用電子コアを採用することにより、様々な腕時計デザインをすることが便利になる。さらにまた、本発明は、異なる腕時計デザインに見合うように電子コアを開発しなければならないという従来の問題を解決する。さらにまた、汎用電子コアに周辺電子構成要素を連結することができて、多くの新規機能を有する腕時計を開発することができる。
【図面の簡単な説明】
【００１３】
【図１】本発明により実現された腕時計を示す構成図である。
【図２】本発明に係る電子コアの外部表面上の２次元接続点の一例を示す概略図である。
【図３】本発明に係る電子コアの外部表面上の２次元接続点の他の例を示す概略図である。
【図４】本発明に係る電子コアの外部表面上の２次元接続点の他の例を示す概略図である。
【図５】本発明の他の実施形態により実現された腕時計を示す構成図である。
【図６】本発明のマルチプレキサを示す概略図である。
【図７】図１の電子コアを示す構成図である。
【図８】本発明の腕時計における拡張回路を示す概略図である。
【図９】本発明の電子コアの外部表面上の接続点の分布を示す概略図である。
【図１０】本発明の電子コアの外部表面上にある事前設計された接続点の分布を示す概略図である。
【図１１】本発明の電子コアの外部表面上にある事前設計された接続点の他の分布を示す概略図である。
【図１２】本発明に係る腕時計の製造方法のフローチャートである。
【図１３Ａ】本発明の第１の特定の位置における電子式クラウンを示す概略図である。
【図１３Ｂ】本発明の第２の特定の位置における電子式クラウンを示す概略図である。
【図１４Ａ】本発明の電子式クラウンにおいて、第１の部分と第２の部分が対称状に配列された場合に検出された電子信号の波形図である。
【図１４Ｂ】本発明の電子式クラウンにおいて、第１の部分と第２の部分が非対称状に配列された場合に検出された電子信号の波形図である。
【図１５Ａ】ディスプレイ装置を有する腕時計を示す概略図である。
【図１５Ｂ】ディスプレイ装置を有する他の腕時計を示す概略図である。
【発明を実施するための形態】
【００１４】
図１は、本発明により実現された腕時計１０の構成図である。同図を参照すると、本発明の腕時計１０は、時計ケース１１と、ダイアル１２と、インジケータ１３と、電気駆動部１４と、電子コア１５と、クラウン１６とを備える。時計ケース１１は、腕時計１０の内部に配置された電子装置と機械構造物を保護するために用いられる。時計ケース１１には、透明材質１１１（ガラスなど）製の時計表面１１２がある。ユーザは、透明な時計表面１１２を介して、インジケータ１３が指示する位置情報を認識することができる。電気駆動部１４は、インジケータ１３に直接的または間接的に連結されてインジケータ１３を駆動することにより、ダイアル１２上においてインジケータ１３が円形または線形に動くようにするか、あるいは、他の動作を行うようにする。電気駆動部１４は、圧電アクチュエータ及び超音波マイクロモータなどの電気モータによって実現可能である。電気駆動部１４はまた、インジケータ１３がいくつかの特定の情報を示すようにインジケータ１３を駆動可能な電子部品によって実現可能である。インジケータ１３は、ダイアル１２と協力して相対的な時刻情報を表示する。例えば、ダイアル１２には時間目盛が表示されており、インジケータ１３には時刻情報（例えば、時、分）を示すための物理的な時針と分針が含まれる。
【００１５】
以下の説明において、本発明は、ダイアル１２及びインジケータ１３の特定のデザインに制限されないことが分かる。すなわち、本発明は、腕時計の製造者がダイアル１２及びインジケータ１３を自由に設計し、それから、適用可能な電気駆動部１４を選択することができる。例えば、腕時計の製造者は、複合機能を有する時計を開発することができる。例えば、腕時計が日付情報（例えば、年月日）を表示することができ、または、月の状態を表示することができ、または、クロノグラフ機能を有することができる。時計製造者は、インジケータを円形にまたは線形に作動可能な電気モータだけではなく、インジケータをセクター内において前後に移動させたり、フライバック機能をさせたりする適切なアクチュエーティング（駆動）モータを用いることができる。
【００１６】
本発明の腕時計１０の電子コア１５は、その内部に封止された集積回路素子を有する（後述する図７参照）。電子コア１５の構成は、電気駆動部１４に電子信号を提供して、電気駆動部１４がこの受信された電子信号に基づいてインジケータ１３（例えば、時計針）を作動してこのインジケータ１３に当該動作を行わせてもよい。本発明において、電子コア１５は、その外部表面上に分布された多数の２次元接続点１５０を有する。一実施形態において、２次元接続点１５０は均一に分布され、所定の位置に配設されている。電気駆動部１４は、２次元接続点１５０のうちの一組の接続点を介して電子コア１５の集積回路素子に電気的に接続される。これらの２次元接続点を用いることにより、本発明は、腕時計の組立時の便宜性と互換性を大幅に向上させることができる。
【００１７】
具体的に、ダイアル及びインジケータは様々な類型にデザイン可能であり、電気駆動部の位置がこのようなデザインに応じて変更可能である。デザインを変更するために、既存の腕時計製品は異なる組立て構造に設計しなければならないか、あるいは、それに見合う電子コアを開発しなければならない。しかしながら、本発明においては、電気駆動部のピンが電子コアの２次元接続点のうちのいずれか一組の接続点に一致する限り、電気駆動部とこれに対応する集積回路素子の回路との間の電気的な接続は行われる。このため、本発明において提供される電子コアを用いることにより、時計製造者は様々なデザイン類型の腕時計を開発することができる。特に、本発明の電子コアを採用する限り、様々なダイアル及びインジケータデザインを有する腕時計を開発することができる。また、本発明は、外観が機械式時計とほとんど同じ、機械式模倣型時計を開発することができるというメリットを得ることができる。
【００１８】
電気駆動部１４は、正常に作動する当該回路に電気的に接続されなければならない。本発明において、特定の回路に対応する接続点を電子コア１５の外部表面上において予め決定することができる。または、これとは異なり、各接続点の帰納を腕時計製造中にまたは組立中に指定することもできる。
【００１９】
具体的に、一実施形態においては、集積回路素子の内部回路に対する、電子コア１５の外部表面上の２次元接続点のうちの一つの連結経路は、固定されて不変である。すなわち、電子コア１５の外部表面の一部の特定の領域における接続点は一つの電気駆動部１４に相当する回路に電気的に接続されるようにこの電気駆動部１４に提供され、電子コア１５の外部表面の他の特定の領域における接続点は他の電気駆動部１４に相当する回路に電気的に接続されるようにこの電気駆動部１４に提供される。
【００２０】
他の実施形態において、電子コア１５の外部表面上の２次元接続点１５０は、設定可能な接続点である。すなわち、各接続点１５０から内部回路への連結経路を変更及び設定することができる。実際の応用の場合に、腕時計は、各接続点１５０の機能または用途を指定し、各接続点１５０と内部回路との間の連結経路を構成するのに用いられるプログラマブルロジックユニット（プログラム可能な論理ユニット）を備えることができる。この実施形態において、電気駆動部１４のピンは、電子コア１５上のいずれか一つの接続点に接続され、このため、プログラマブルロジックユニットは、電気駆動部１４が接続点１５０を介してその当該回路に連結されるように各接続点を指定する。このような方式によって、腕時計組立時の自由度が増大され、様々なデザイン間の互換性もまた向上される。
【００２１】
前記設定可能な接続点は、プログラマブルロジックコントローラ（ＰＬＣ：ｐｒｏｇｒａｍｍａｂｌｅ ｌｏｇｉｃ ｃｏｎｔｒｏｌｌｅｒ）、複合プログラマブル論理素子（ＣＰＬＤ：ｃｏｍｐｌｅｘ ｐｒｏｇｒａｍｍａｂｌｅ ｌｏｇｉｃ ｄｅｖｉｃｅ）、フィールドプログラマブルゲートアレイ（ＦＰＧＡ：ｆｉｅｌｄ ｐｒｏｇｒａｍｍａｂｌｅ ｇａｔｅ ａｒｒａｙ）などによって実現可能である。
【００２２】
図２は、本発明に係る電子コア１５の外部表面上の２次元接続点１５０の一例を示す概略図である。図２に示すように、接続点１５０の分布は、２次元配列を形成している。各接続点１５０が垂直方向及び水平方向に整列されている。接続点１５０は互いに同じ間隔を有する。電気駆動部１４のピンが接続点１５０のうちの一つに正確に一致しないこともある。この場合のために、接続点間の間隔を減らすことにより、より多くの接続点を収容することができる。電子的な接続の信頼性を保証するために２つまたはそれ以上の接続点１５０に、電気駆動部１４のピンの一つを接触させてもよい。
【００２３】
他の実施形態においては、電子コア１５の外部表面上の２次元接続点１５０’が同心円配列分布を形成する。図３に示すように、接続点が点線に沿って整列される。円形に設計された腕時計の場合に、電気モータの位置は環状に設計されもよい。このため、このような円形設計と同心円配列分布との間に、ほとんど完璧な整合が行われ、これにより、電気駆動部１４と接続点との間の視準正確性が向上される。
【００２４】
さらに他の実施形態においては、電子コア１５の外部表面上の２次元接続点１５０”が六角格子状に配列される。図４に示すように、接続点が点線に沿って整列される。このような配列によって接続点が互いに近づくように配列され、このため、接続点間の間隔ができる限り狭まり得る。これにより、視準正確性がより一層向上される。
【００２５】
図５は、本発明の他の実施形態により実現された腕時計１０’を示す構成図である。この実施形態の腕時計１０’と上述した腕時計１０との違いは、電気駆動部１４と電子コア１５の外部表面上の２次元接続点１５０との間に配置されるインタポーザ１７が介装されているということである。インタポーザ１７の上部及び下部の表面には導電接続点が分布されている。上部表面にある導電接続点は下部表面にある対応する導電接続点と連通されている。インタポーザ１７の導電接続点の分布は、電子コア１５の外部表面上の接続点１５０の分布と実質的に一致する。しかしながら、インタポーザ１７が腕時計１０’に配置された場合に、インタポーザ１７の導電接続点は、電子コア１５の接続点から水平方向に短距離だけ離脱する。インタポーザ１７を配置することにより、電子コア１５の外部表面上の接続点１５０と電気駆動部１４との間に視準誤差が発生することを避けることができる。
【００２６】
図６を参照する。一実施形態において、電子コア１５は、多数のマルチプレキサ２１を備えることができる（但し、図６には、一つのマルチプレキサのみを示している）。例えば、マルチプレキサ２１は、８対１のマルチプレキサであってもよい。電子コア１５において、プログラマブルロジックユニットの入力／出力ポートは、マルチプレキサ２１の左側にある一つの連結点に連結され、マルチプレキサ２１の右側にある８つの連結点のうちの一つを介して信号が出力または入力される。すなわち、電子コア１５の外部表面上の２次元接続点１５０は、多数のマルチプレキサ２１の右側にある連結点から構成されてもよい。腕時計を組み立てるときに、電気駆動部１４のピンが一組の接続点（例えば、一組当たりに８つの接続点がある）のうちの任意の一つの点に連結される。次いで、プログラマブルロジックユニット及びマルチプレキサによって前記接続点の使用を指定する。このような方式により、電気駆動部１４のピンは電子コア１５内部の時間回路に電気的に接続可能である。インジケータ１３に関連する位置の設計を支援するために、電気駆動部１４のピンは、腕時計の組立中にマルチプレキサ２１の右側に３番が番号付けられた連結点に連結される場合を想定する。プログラマブルロジックユニットは、指定または割当ての過程中に、電子コア１５内の時間回路を電気駆動部１４に対応するマルチプレキサ２１の左側の連結点に電気的に接続することができる。それから、選択信号をマルチプレキサ２１に印加してマルチプレキサ２１に、時間回路から出力される時間制御信号を３番の連結点を介して電気駆動部１４に伝送せしめることができる。このような方式により、電気駆動部１４は、時間制御信号に基づいて動作することができる。このように、プログラマブルロジックユニットは、電子コア１５の内部回路とマルチプレキサとの間に連結経路を指定したり割り当てたりすればよい。このため、プログラマブルロジックユニットのレイアウトを簡略化させることができる。
【００２７】
上述したように、電子コア１５の外部表面上の２次元接続点１５０は、設定可能な接続点であってもよい。本発明において、接続点１５０の使用は、３名の当事者、すなわち、１）腕時計の製造者、２）最終ユーザ及び３）時計店の作業者によって指定または割当て可能である。この詳細については、後述する。
【００２８】
腕時計の製造または組立時に、時計製造者は、電子コア１５の内部回路と接続点１５０との間の連結経路を指定するために、プログラマブルロジックユニットを用いて各接続点１５０の使用を割当てまたは指定することができる。例えば、腕時計の製造者が電子コア１５の外部表面上の接続点１５０のうちのいずれか一つに電気駆動部１４のピンを連結した後に、プログラマブルロジックユニットを用いて、電子コア１５内の時間回路が前記一つの接続点１５０を介して電気駆動部１４に電気的に接続されるように前記一つの接続点１５０を指定することができる。このため、時間回路から出力される制御信号は、前記一つの接続点１５０を介して電気駆動部１４に伝送可能である。
【００２９】
また、本発明において、腕時計のユーザは、時計が工場から出荷された後にも各接続点１５０の使用を再指定したり再割当てしたりすることができる。具体的に、前記プログラマブルロジックユニットを用いることにより、腕時計のユーザは、他の回路に対応する他の物理的接続点１５０に電気駆動部１４を電気的に接続することができ、または、電気駆動部１４に接続される接続点１５０を前記他の回路に対して再指定したり再割当てしたりすることができる。例えば、腕時計のユーザが所有する携帯装置（例えば、スマートフォン、タブレットなど）は腕時計と通信することができる（例えば、無線通信を介して）。携帯装置がメッセージ（例えば、インスタントメッセージ）を受信すれば、携帯装置は、無線通信を介して腕時計のプログラマブルロジックユニットに、電気駆動部１４が他の回路に電気的に接続されるように接続点１５０の連結の指定または割当てを変更することを知らせる。このような方式により、元々は時刻情報を知らせるために用いられる時計針を完全に異なるように動作させる（例えば、スイング動作させる）ことにより、新規なメッセージの受信をユーザに知らせるのに用いることができる。
【００３０】
すなわち、腕時計は、無線通信（例えば、ブルーテゥース、ＷＩ−ＦＩなど）を介して外部から指令を受信することができる。電子コア１５の内部回路と接続点１５０との間の連結経路は外部から入力された指令によって調整されて、電気駆動部１４が特定の回路（例えば、メッセージが受信されていることを知らせるのに用いられる回路）に電気的に接続されるようにする。電気駆動部１４は、特定の回路によって出力された信号を、現在時刻を示すためのインジケータ１３の動作とは異なる特定の方式によって（例えば、所定のスイング動作、不規則的なスイング動作及び特定の信号に基づいて行われるスイングなど）インジケータ１３が駆動するように制御することができる。
【００３１】
連結経路を変更することにより、電気駆動部１４は、インジケータ１３を他の動作をさせる他の回路に容易に連結され得る。これにより、腕時計により多くの機能が提供され、これにより、多くの独創的な機能が開発され得る。例えば、時計針がリズムに合わせてスイングすることができる。また、腕時計のインジケータ１３は、電気モータに連結されないこともある。このような類型のインジケータ１３（例えば、薄型スピーカ、発光ダイオード（ＬＥＤ）及び小型ディスプレイなど）は、２次元接続点１５０を介して内部回路に連結されて、内部回路の出力信号に基づいて動作することができる。周知のように、多くの新たな特徴や機能を有する腕時計が、本発明によって開発可能である。
【００３２】
また、時計店において働く従業人もまた、電子コア１５の外部表面上の各接続点１５０の使用を割当てまたは指定することができ、電子コア１５の内部回路と各接続点１５０との間の連結経路を、プログラマブルロジックユニットを用いて調整または変更することができる。腕時計のユーザは、時計店から新たなダイアル、インジケータ及び／または電気駆動部を購入し、この他のダイアルまたはインジケータを用いて元の腕時計に入っていたものを取り替えることができる。ダイアルまたはインジケータを取り替えることにより、電気駆動部１４に対応していた元の接続点を他のものに変更することができる。この場合、時計店の作業者は、このような課題を容易に解決するために、プログラマブルロジックユニットを用いて、連結の指定または割当てを変更することができる。したがって、腕時計のユーザは、非常に手軽に元の腕時計のダイアル計器（メーター）またはインジケータを他のデザインに取り替えることができる。これは、市場において顧客を誘致可能な立派な誘引策となる。
【００３３】
さらに、本発明の電気駆動部１４は、インジケータ１３に直間接的に且つ機械的に連結可能である。一実施形態において、電気駆動部１４は、インジケータ１３に直結される駆動シフト（図面に参照符号を附していない）を有する。このような方式により、電気駆動部１４は、インジケータ１３を直接的に駆動することができる。他の実施形態において、電気駆動部１４は、駆動シフトと、この駆動シフトに機械的に連結される搬送メカニズム（図示せず）と、を有する。駆動シフトは、搬送メカニズムを介してインジケータ１３に接続される。このような方式により、電気駆動部１４は、搬送メカニズムを介してインジケータ１３を駆動する。
【００３４】
図７は、図１の電子コア１５を示す構成図である。一実施形態において、電子コア１５は、パッケージ基板３０と、ロジック部３１と、メモリ部３２及び電力管理部３３を備えていてもよい。電子コア１５はまた、受動素子３４を備えていてもよい。パッケージ基板３０は、薄膜基板であるが、電子コア１５の外部表面の上に２次元接続点１５０を形成するように外部に展開された多数の接合パッドを有する多層配線基板であることが好ましい。多層配線基板３０は、ロジック部３１と、メモリ部３２と、電力管理部３３及び受動素子３４を電気的に接続する役割を果たす。これらの構成要素３１〜３４は、半田付けによって多層配線基板３０に取り付けられてもよい。
【００３５】
ロジック部３１は、プロセッサまたはプログラマブルＩＣによって実現することができる。メモリ部３２は、不揮発性メモリ（例えば、ＮＡＤＡフラッシュメモリ）と、同期式ダイナミックランダムアクセスメモリ（ＳＤＲＡＭ）とを備えていてもよい。受動素子３４（例えば、キャパシタ）は、ロジック部３１と電源管理部３３との間に連結されてもよい。電力管理部３３は、実際の需要に応じて電力の供給を担当する。
【００３６】
この実施形態において、メモリ部３２は、封止材料３１０によって封止されてもよく、この封止されたメモリ部３２はロジック部３１に積層される。電力管理部３３もまた、封止材料３３０によって予め封止されてもよい。最終的に、主封止材料３００を用いて、ロジック部３１と、メモリ部３２と、電力管理部３３及び受動素子３４を単一の工程において単一のパッケージに仕上げる。この単一のパッケージは、販売用の電子部品として供給される。
【００３７】
以上、あらゆる面において、本発明の電子コア１５は、腕時計用の汎用電子コアになり得る。腕時計の製造者は、このような汎用電子コアを採用することにより、様々な時計デザインをすることが便利であり、これにより、製品開発サイクルを短縮することができる。また、本発明は、異なる時計デザインに対応して電子コアを開発しなければならないという従来の問題を解決する。なお、汎用電子コアを用いることにより、腕時計の組立が簡単且つ迅速に行われる。
【００３８】
図８は、本発明の腕時計内の拡張回路を示す構成図である。本発明において、複雑な機能を有する時計を開発するために電子コア１５を周辺電子の構成要素に連結することができる。例えば、ロジック部３１には、プログラマブルロジックモジュール、ブルートゥースモジュール、ＧＰＳモジュール、ＷＩＦＩモジュール、ＧＳＭモジュール、タッチ制御モジュール、ＬＥＤ制御モジュール、オーディオ／ビデオモジュール、ディスプレイモジュール、ＭＥＭＳ磁力計、ＦＭモジュール、ＵＳＢホストコントローラ、汎用Ｉ／Ｏ（ＧＰＩＯ）などを連結することができる。さらに他の側面において、電力管理部３３には、ＤＣ電源と、スイッチと、バッテリまたはその他の所要部品を連結することができる。
【００３９】
図９に示すように、電子コア１５の外部表面上の接続点には、２次元接続点１５０（点線にて表示した範囲内に位置する接続点）が含まれるだけではなく、不均一にまたは不規則的に分布された接続点１５５、例えば、電源接続点、ＧＰＩＯ接続点及び２次元接続点１５０の使用を割当または指定するのに用いられるプログラマブルロジックモジュールの信号入力／出力接続点が含まれ得る。
【００４０】
図１０を参照する。一実施形態において、本発明の腕時計の電子コアの外部表面上に分散される接続点は、電子コア１５’の外部表面上の所定の位置に配置される多数の事前設計された接続点によって実現可能である。接続点の他配列にも拘わらず、図１に示す腕時計の構造、図７に示す電子コア及び図８に示す拡張された構造は、この実施形態の電子コア１５’にも適用可能である。この実施形態において、電子コア１５’の外部表面上に配置された事前設計された接続点の位置は、腕時計に配置される構成要素の位置に対応する。例えば、図１０に示す事前設計された接続点１５０−１は、電子コア１５’の外部表面の略中央に配置されている。この事前設計された接続点１５０−１は、時刻情報（時間、分、秒）を示すようにインジケータを作動させる電気駆動部に電気的に接続するために用いられる。事前設計された接続点１５０−２は、電子コア１５’の外部表面の周辺部に配置される。この事前設計された接続点１５０−２は、腕時計の側面外郭に配置されるクラウンの位置に対応するように配置されている。クラウンは、時針及び／または分針の位置を調整するのに用いられる。また、電子コア１５’には、外部表面の外側に配置される周辺部接続点（例えば、事前設計された接続点）１５０−３が配設されていてもよい。この事前設計された接続点１５０−３は、腕時計の構造内の周辺電子構成要素を連結して拡張機能を提供するのに用いることができる。電子信号を提供するために、事前設計された接続点は対をなして分布される。これは、２つの事前設計された接続点のそれぞれが個別回路を閉ループに構成することができるためである。また、この実施形態において、電子コア１５’は、薄板状に形成される。電子コア１５’の形状は、腕時計の形状に対応する。このようにして、事前設計された接続点と、腕時計に設けられるべき構成要素との間の別途の配線を減らすことができる。
【００４１】
また、図１１を参照する。複合機能を有する時計の実施形態において、追加的な事前設計された接続点が電子コア１５”の外部表面上に配置されてもよい。例えば、事前設計された接続点１５０−４は、日付情報の表示に対応する電気駆動モータを連結するのに使用可能である。事前設計された接続点１５０−５は、月の状態情報の表示に対応する電気駆動モータを連結するのに使用可能である。事前設計された接続点１５０−６は、クロノグラフの表示に対応する電気駆動モータを連結するのに使用可能である。事前設計された接続点１５０−７、１５０−８、１５０−９は、日付、月の状態を調整し、且つ、クロノグラフを設定するための各クラウンに対応する。一部の腕時計の類型において用いられない事前設計された接続点もまた、電子コアの外部表面上に配置されてもよいということに留意する。すなわち、事前設計された接続点は、より多くの類型の腕時計に適用可能にするためにできる限り多数を電子コアの外部表面に配置することができる。
【００４２】
たとえ一部の事前設計された接続点は一部の腕時計の類型には使用できないとしても、このような設計は腕時計の開発に役立つ。一つの類型の電子コアが様々な類型の腕時計のデザインに適用される。
【００４３】
本発明はまた、腕時計の製造方法を提供する。腕時計の構造に関する前記説明に結び付けて図１２のフローチャートを参照する。先ず、ダイアル１２及びインジケータ１３を設計するが（ステップＳ１０）、ここで、インジケータ１３のデザインは、ダイアル１２のデザインと調和される。ダイアル１２とインジケータ１３のデザインは、本発明においては特に制限されない。すなわち、本発明において、腕時計の製造者は自由にダイアル１２及びインジケータ１３を設計することができる。次いで、電子コア１５を用意する（ステップＳ１２）。上述したように、電子コア１５は、内部に基本回路（ロジック部３１と、メモリ部３２及び電力管理部３３など）が封止され、その外部表面の上には２次元接続点１５０が分布される。次いで、電気駆動部１４を配置する（ステップＳ１４）。電子コア１５の外部表面上における少なくとも一つの電気駆動部１４の位置は、インジケータ１３の位置に応じて設計される。上述したように、電気駆動部１４は、インジケータ１３を駆動してインジケータ１３を適切に動作させるために用いられる。このため、電気駆動部１４の位置は、インジケータ１３の位置と一致する必要がある。
【００４４】
次いで、電気駆動部１４のピンを電子コア１５の接続点１５０のうちの一つに連結する（ステップＳ１６）。このステップにおいては、表面実装技術を用いて電気駆動部１４のピンが電子コア１５の外部表面上の接続点１５０のうちの少なくとも一つに接続されるようにすることができる。
【００４５】
次いで、各接続点１５０の使用を指定または割り当てる（ステップＳ１８）。具体的に、電気駆動部１４が電子コア１５内の特定の回路に電気的に接続されるように、電子コア１５の内部回路と電子コア１５の外部表面上の２次元接続点１５０との間の連結経路を割当てまたは指定する。すなわち、特定の回路が電気駆動部１４を駆動または制御できるように、電気駆動部１４に連結された接続点を特定の回路に割り当てる。最後に、前記全ての構成要素（例えば、ダイアル１２、インジケータ１３、電気駆動部１４及び電子コア１５）を時計ケース１１に組み込んで腕時計の組立を完了する（ステップＳ２０）。
【００４６】
上述したように、腕時計にはまた、通信部（例えば、無線通信要素）を配置することができる。この通信部を介して外部から指令を受信することにより、電気駆動部１４が他の特定の回路に電気的に接続されるように電子コア１５の内部回路と各接続点１５０との間の連結経路を調整することができる。
【００４７】
以上において、２次元接続点を採用することにより、本発明は、腕時計の製造または組立時の互換性と便利性を大幅に向上させることができる。腕時計の製造者は、本発明の電子コアを採用する限り、様々な類型の腕時計を開発することができる。また、本発明は、腕時計のユーザに、電子コアの内部回路と電気駆動部との間の連結経路を調整せしめる。このため、本発明によれば、多くの新規な機能を有する腕時計を開発することができる。
【００４８】
図１３Ａは、本発明に係る腕時計のための電子式クラウンを示す概略図である。上述したように、電子コア１５の外部表面上の接続点は、均一に分布された接続点１５０だけではなく、不均一にまたは不規則的に分布された接続点１５５（図９参照）も備えていてもよい。本発明の実施形態において、インジケータ１３の状態を調整または変更するために、例えば、時針及び／または分針の位置を調整して時刻情報を修正するために、電子式クラウンからの電子信号は電子コア１５の外部表面上の接続点１５０または１５５（すなわち、２次元接続点１５０のうちの一つの接続点、または、不規則的に分布された接続点１５５）を介して電子コア１５に出力されてもよく、電気駆動部１４は、均一に分布された接続点１５０のうちの一組の接続点に対応する。好適な実施形態において、電子式クラウンから出力される電子信号は、不規則的に分布された接続点１５５を介して電子コア１５に出力されてもよい。
【００４９】
図１３Ａに示すように、本発明の電子式クラウンは、回転部４２と、この回転部４２に結合されたセンサ４４とを備える。センサ４４は、回転部分４４１及び検出部分４４２を有する。腕時計のユーザが回転部４２を回転することにより、センサ４４の回転部分４４１が回転する（例えば、円運動）。センサ４４の検出部分４４２は固定または係合されている。検出部分４４２は、時計針の位置を調整するために、回転部分４４１の回転に応答して電子信号を生成して送出することができる。
【００５０】
電力によって駆動される時計において、時計針の位置調整は、主として、従来の技術によってボタンを押したりギアを回したりすることにより行われる。本発明に係る腕時計の電子式クラウンは、現在時刻を調整するときに機械式時計と同様に動作したり動いたりすることができる。このため、機械式時計と同じ外観とユーザ機能を有する腕時計を開発することにより、機械式模倣型時計を達成することができる。
【００５１】
一実施形態において、センサ４４の検出部分４４２は、図１３Ａに示すように、電子コア１５の外部表面の上に不規則的に分布された接続点１５５のうちの一つに対応する位置に配置されてもよい。他の実施形態において、センサ４４の検出部分４４２は、プリント回路基板（ＰＣＢ）などの回路基板（図示せず）の上に配置されて配線を介して電子コア１５上の接続点１５５のうちの一つに連結されてもよい。また、センサ４４の検出部分４４２から出力される検出信号は、接続点１５５ではない接続点１５０のうちの一つを介して電子コア１５に出力されてもよいことを留意すべきである。
【００５２】
図１３Ａに示すように、電子式クラウンの回転部分４４１は、第１の下位部４０１と第２の下位部４０２を有していてもよく、２以上の下位部を有していてもよい。各下位部４０１、４０２は、円の円周に沿って配置される。各下位部４０１、４０２は物理的特性を有しているが、これらの下位部４０１、４０２は、このような物理的特性に対して異なる物理量（例えば、誘電定数、抵抗及び透磁率）を有する。下位部４０１、４０２が検出部分４４２に対して相対的に回転すれば、検出部分４４２は、円周上における第１の下位部４０１と第２の下位部４０２の位置変更による異なるレベルの電子信号を検出する。
【００５３】
例えば、図１４Ａに示すように、第１の下位部４０１及び第２の下位部４０２が対称状に配列されるとき、検出部分４４２は２種類の異なるレベルの電子信号（図１４Ａにおける波線Ｌの左側にある波形）を検出する。図１４Ｂに示すように、第１の下位部４０１及び第２の下位部４０２が非対称状に配列されるとき、検出部分４４２は３種類の異なるレベルの電子信号（図１４Ａにおける波線Ｌの左側にある波形）を検出する。電子コア１５が検出部分４４２から出力された電子信号を受信すれば、電子コア１５は、インジケータ１３の位置を調整するために当該調整信号を出力することができる。図１４Ｂに示す実施形態において、ユーザが電子式クラウンを時計回り方向にまたは反時計回り方向に回すと、反対波形の電子信号が生成され得る。このような方式により、時計針が時計回り方向に、且つ、反時計回り方向に動作することを容易に制御することができる。
【００５４】
他の側面において、ユーザが回転部４２を押して引っ張ると、電子式クラウンの回転部分４４１が回転軸に沿って移動することができ、第１の下位部４０１は、第２の下位部４０２とともに、回転軸上の第１の特定の位置（図１１Ａ参照）及び第２の特定の位置（図１１Ｂ参照）に留まる。第１の下位部４０１及び第２の下位部４０２が第１の特定の位置に留まって回転する場合、検出部分４４２によって検出される電子信号は、図１４Ａ（または、図１４Ｂ）の破線Ｌの左側に示す波形とほとんど同様である。第１の下位部４０１及び第２の下位部４０２が第２の特定の位置に留まって回転する場合、検出部分４４２によって検出される電子信号は、図１４Ａ（または、図１４Ｂ）の破線Ｌの右側に示す波形とほとんど同様である。すなわち、第１の下位部４０１及び第２の下位部４０２が第２の特定の位置に留まるときには、検出部分４４２は相対的に弱い信号を検出するが、この検出された信号の電圧レベルは相対的に低い。このような方式により、電子コア１５は異なる信号波形をもって、異なる針またはインジケータを制御することができる。例えば、第１の特定の位置に回転部分４４１が留まるようにユーザが回転部４２を押す場合に、時針の位置を調整することができる。第２の特定の位置に回転部分４４１が留まるようにユーザが回転部４２を押す場合には、分針の位置を調整することができる。
【００５５】
具体的に、一実施形態において、第１の下位部４０１及び第２の下位部４０２は異なる誘電定数を有する個体である。検出部分４４２は、例えば、両電極間の静電容量を検出するための静電容量検出要素を備える。静電容量は、第１の下位部４０１及び第２の下位部４０２が位置する異なる位置に応じて変化可能である。静電容量が変化するとき、検出部分４０１は、電子信号の異なる電圧レベルを検出する。他の実施形態において、回転部分４４１の第１の下位部４０１及び第２の下位部４０２は、別個の磁気強度を有する磁性材料であってもよい。検出部分４４２は、導電性コイルを有する。第１の下位部４０１及び第２の下位部４０２が回転すれば、検出部分４４２の導電性コイルは磁束の変化によって電流を生成することができる。このため、別個の電圧レベルを有する電子信号が生成される。さらに他の実施形態において、回転部分４４１の第１の下位部４０１及び第２の下位部４０２は、異なる透磁率を有する個体であってもよい。検出部分４４２は、電流が印加されるコイルを有する。コイルによって生成された磁場によって、第１の下位部４０１及び第２の下位部４０２は、異なる大きさの磁場を生成する。このため、磁場の変化を検出することにより、別個の電圧レベルの電子信号が生成され得る。本発明において、電子式クラウンのセンサ４４は、静電容量、インダクタンス、抵抗、電場または磁場を検出することにより、電子信号を出力することができる。
【００５６】
図１５Ａ及び図１５Ｂを参照する。前記実施形態において説明した電子式クラウンはまた、ディスプレイ５１（例えば、液晶表示装置など）を有する腕時計にも適用することができる。時間関連情報がディスプレイ５１の画面に表示される。例えば、ディスプレイ５１は、画面上に時計針と時間目盛を表示するか、あるいは、デジタル数字で現在時刻を表示する。スマート腕時計は、画面に現在時刻を表示する機能だけではなく、他の機能を有することができ、メニュー５２を用いてディスプレイ５１の画面にこれらの機能（例えば、項目５３）または他の設定を並べることができる。腕時計の電子式クラウン４０は、項目５３を選択し、選択された項目５３を確認するのに用いることができる。
【００５７】
ユーザが電子式クラウン４０を回すと、電子式クラウン４０は電子信号を送出し、この電子信号は、ディスプレイ５１を制御してメニュー５２に並べられた項目５３を選択するのに用いられる。例えば、ユーザが電子式クラウン４０を回す度に、メニュー５２の項目５３が上から下へとその次の位置に移動し、このようにして他の項目５３の位置が変わり、選択された項目５３はまた拡大される。電子式クラウン４０が反対方向に回転すれば、項目５３は、図１５Ａに示すように、下から上に移動する。他の例において、メニュー５２の項目５３は、図１５Ｂに矢印にて表示した方向に沿って移動することができる。また、ユーザが電子式クラウン４０を押したり引っ張りすれば、選択された項目５３が確認され、この選択された項目５３に連携された機能または設定が実行される。
【００５８】
以上、本発明の好適な実施形態を開示して詳細に説明したが、当業者はこれに対する種々の修正及び変更を行うことができる。このため、本発明の実施形態は例示に過ぎず、制限的なものではない。本発明は、開示された特定の形態に限定されてはならず、本発明の思想及び範囲を維持するあらゆる修正及び変更は、添付の特許請求の範囲に指定された範囲内に含まれるものと意図された。
【図１】
2014219391.tif 000003
【図２】
2014219391.tif 000004
【図３】
2014219391.tif 000005
【図４】
2014219391.tif 000006
【図５】
2014219391.tif 000007
【図６】
2014219391.tif 000008
【図７】
2014219391.tif 000009
【図８】
2014219391.tif 000010
【図９】
2014219391.tif 000011
【図１０】
2014219391.tif 000012
【図１１】
2014219391.tif 000013
【図１２】
2014219391.tif 000014
【図１３Ａ】
2014219391.tif 000015
【図１３Ｂ】
2014219391.tif 000016
【図１４Ａ】
2014219391.tif 000017
【図１４Ｂ】
2014219391.tif 000018
【図１５Ａ】
2014219391.tif 000019
【図１５Ｂ】
2014219391.tif 000020